(57)【要約】【課題】トンネルマルチからフィルムを除去する際に、その下端部から外側に張り出して土が被せられている押さえフィルムを、基端側から切断すると共に、切断されたフィルムを被せられた土と共に反転させる。【解決手段】▲１▼．作業部５に、トンネルマルチフィルム１８を除去する際に該トンネルマルチフィルム１８の下端部から外側に張り出して土が被せられている押さえフィルム１９を、基端部から切断すると共に、切断されたフィルム１９を、その上に被せられた土２１ａと共に反転させる外周縁に複数の切り込み１１ａを有するディスク刃からなるフィルム切断・反転刃１１を左右方向への張り出し長さを調節可能に設け、このフィルム切断・反転刃１１の移動方向直後に、フィルム切断・反転刃１１の作動と機体の走行を安定させるためのガイド輪１４を上下調節可能に設けた。▲２▼．フィルム切断・反転刃１１及びガイド輪１４を、作業部５の片側あるいは両側に装着した。【選択図】　　　　図１
2004113010.tif 000002
【特許請求の範囲】
【請求項１】
エンジンを搭載し、このエンジンから動力を受けて機体を走行させる左右一対の走行車輪と、エンジンから動力を受けて回転駆動する作業部と、作業部の移動方向に設けられたガイド車輪とを備える歩行型トラクタにおいて、
上記作業部に、トンネルマルチフィルムを除去する際に該トンネルマルチフィルムの下端部から外側に張り出して土が被せられている押さえフィルムを、基端部から切断すると共に、切断されたフィルムを、その上に被せられた土と共に反転させる外周縁に複数の切り込みを有するディスク刃からなるフィルム切断・反転刃を左右方向への張り出し長さを調節可能に設け、このフィルム切断・反転刃の移動方向直後に、フィルム切断・反転刃の作動と機体の走行を安定させるためのガイド輪を上下調節可能に設けたことを特徴とするマルチフィルム処理装置。
【請求項２】
上記フィルム切断・反転刃及びガイド輪を、作業部の片側あるいは両側に装着したことを特徴とする請求項１記載のマルチフィルム処理装置。
【発明の詳細な説明】
【０００１】
【産業上の利用分野】
本発明は、トンネルマルチからフィルムを除去する際に、その下端部から外側に張り出して土が被せられている押さえフィルムを、基端側から切断すると共に、切断されたフィルムを被せられた土と共に反転させるマルチフィルム処理装置に関する。
【０００２】
【従来の技術】
本出願人は、エンジンを搭載し、このエンジンから動力を受けて機体を走行させる左右一対の走行車輪と、エンジンから動力を受けて回転駆動する作業部と、作業部の移動方向前側に設けられたガイド車輪とを備える歩行型トラクタにおける上記作業部に、トンネルマルチフィルムを除去する際に該トンネルマルチフィルムの下端部から外側に張り出して土が被せられている押さえフィルムを、基端部から切断すると共に、切断されたフィルムを、その上に被せられた土と共に反転させるフィルム切断・反転刃を設け、このフィルム切断・反転刃の前側で機体の幅方向中央位置に、フィルム切断・反転刃の作動と機体の走行を安定させるガイド輪を設けたマルチフィルム処理装置を提案している（例えば、特許文献１参照）。
【０００３】
【特許文献１】
特開２０００−３２４９５８号公報
【０００４】
【発明が解決しようとする課題】
上記従来のマルチフィルム処理装置においては、ガイド輪がフィルム切断・反転刃の前側で、かつ機体の幅方向中央位置に設けられていることから、フィルム切断・反転刃によるマルチフィルムの切断作業、及び切断されたフィルムの反転作業が安定して行われないことがあり、また、機体の走行も安定して行われないことがある、といった問題点があった。
本発明は、このような問題点を解決することを目的になされたものである。
【０００５】
【課題を解決するための手段】
上記の目的を達成するために本発明は、
Ａ．エンジンを搭載し、このエンジンから動力を受けて機体を走行させる左右一対の走行車輪と、エンジンから動力を受けて回転駆動する作業部と、作業部の移動方向前側に設けられたガイド車輪とを備える歩行型トラクタにおいて、
上記作業部に、トンネルマルチフィルムを除去する際に該トンネルマルチフィルムの下端部から外側に張り出して土が被せられている押さえフィルムを、基端部から切断すると共に、切断されたフィルムを、その上に被せられた土と共に反転させる外周縁に複数の切り込みを有するディスク刃からなるフィルム切断・反転刃を左右方向への張り出し長さを調節可能に設け、このフィルム切断・反転刃の移動方向直後に、フィルム切断・反転刃の作動と機体の走行を安定させるためのガイド輪を上下調節可能に設けたことを特徴としている。
【０００６】
Ｂ．上記フィルム切断・反転刃及びガイド輪を、作業部の片側あるいは両側に装着したことを特徴としている。
【０００７】
【作用】
上記の構成によって本発明のマルチフィルム処理装置は、以下のような作用をする。
【０００８】
▲１▼．作業部に、トンネルマルチフィルムを除去する際に該トンネルマルチフィルムの下端部から外側に張り出して土が被せられている押さえフィルムを、基端部から切断すると共に、切断されたフィルムを、その上に被せられた土と共に反転させる外周縁に複数の切り込みを有するディスク刃からなるフィルム切断・反転刃を左右方向への張り出し長さを調節可能に設け、このフィルム切断・反転刃の移動方向直後に、フィルム切断・反転刃の作動と機体の走行を安定させるためのガイド輪を上下調節可能に設けることで、フィルム切断・反転刃の駆動回転により、押さえフィルムの基端部が切り込みにより食い込みをよくしながらガイド輪により設定された所定深さに切断され、これと同時に切断されたフィルムは、その上に被せられた土と共に反転されて地上部に露出し、簡単に回収できる。また、トンネルマルチフィルムは、押さえフィルムの基端部が切断されているので、容易に除去することができる。さらに、ガイド輪により安定したフィルム切断・反転作業、及び機体走行が行われる。
【０００９】
▲２▼．フィルム切断・反転刃及びガイド輪を、作業部の片側あるいは両側に装着したことで、圃場状況、マルチトンネル設置状況に応じて、フィルム切断・反転刃を作業部の片側に装着したり、両側に装着たりする選択使用が可能となり、作業性及び作業能率が向上する。また、ガイド輪はフィルム切断・反転刃のフィルム切断・反転作業、及び機体の走行を安定させる。
【００１０】
【実施例】
以下、本発明の一実施例を添付の図面を参照して具体的に説明する。
図１及び図２において、符号１は周知のものと同様の歩行型トラクタであり、機体にエンジン２を搭載し、このエンジン２から動力を受けて機体を走行させる左右一対の走行車輪３、機体から後方に延び、水平方向に１８０度回転可能の操縦ハンドル４、機体の後方で、かつ操縦ハンドル４の下方に設けられた作業部５等を具備している。エンジン２の近傍には、図示しないが変速装置が設けられ、この変速装置で変速された動力が車輪伝動ケース６を介して走行車輪３に、また、作業部伝動ケース７を介して作業部５にそれぞれ伝達される。作業部５への伝動経路には、操縦ハンドル４位置で操作されるクラッチが介装されている。走行車輪３は走行回転軸３ａが伸縮可能で、走行車輪３，３の輪距を変えることができる。また走行車輪３は、この実施例ではゴム車輪にしてあるが、ラグ付き金属車輪、あるいはクローラにしてもよい。
【００１１】
上記作業部５は、作業部伝動ケース７の上部から後方に向け作業部支持フレーム８が延出されている。この作業部支持フレーム８の中間位置の両側から、斜め後方に向けて所定の角度で延びる左右一対のディスク刃支持アーム９が、左右方向への張り出し長さを調節（伸縮）可能に設けられている。このディスク刃支持アーム９の終端部には、ディスク刃支持板１０の上端部が固着され、垂下されている。該ディスク刃支持板１０の下端部に、トンネルマルチフィルムを除去する際に該トンネルマルチフィルムの下端部から外側に張り出して土が被せられている押さえフィルムを、基端部から切断すると共に、切断されたフィルムを、その上に被せられた土と共に反転させるディスク刃１１が、進行方向外側に向け所定の角度で広がるようにして軸支されている。
【００１２】
このディスク刃１１には、作業部伝動ケース７の下端部から左右両側に突出している出力軸からユニバーサルジョイント１２、伸縮移動軸１３を介して回転動力が伝達される。ディスク刃１１は、その中央部分がディスク刃支持板１０に軸支され、外周縁に、トンネルマルチの押さえフィルム上に被せられた土への食い込みを良くし、あるいはフィルムの切断性を良くするために８個のＶ字状（Ｕ字状にしてもよい）の切り込み１１ａを等間隔に配設している。この切り込み１１ａは任意の間隔に設けても良く、その個数は８個に限らず増減してもよいものである。
【００１３】
フィルム切断・反転刃であるディスク刃１１の移動方向直後に、ディスク刃１１のフィルム切断動作と機体の走行を安定させるためのガイド輪１４を上下調節可能に設けている。即ち、作業部支持フレーム８の後部に、ガイド輪支持ロッド１５を介して上下調節支持機構１６が支持され、この上下調節支持機構１６の下端部にガイド輪１４を軸支し、上下調節支持機構１６の上部に設けた操作ハンドル１６ａによりガイド輪１４を上下移動調節するようにしている。ガイド輪１４が上下調節されるとき、固定レバー１６ｂにより固定、固定解除される。従って、ガイド輪１４は、ディスク刃１１の作用深さを調節するゲージホイールの働きをする。また、ガイド輪１４は、ディスク刃１１の左右方向への張り出し長さを調節（伸縮）したとき、ディスク刃１１と一体的に移動し、常にディスク刃１１の直後に位置している。このガイド輪１４は、尾ソリ等に替えてもよいものである。また、ディスク刃１１及びガイド輪１４を、作業部５の片側のみに設けるようにしても良いものである。
【００１４】
前記ディスク刃１１は、歩行型トラクタ１の移動方向（前進方向）と同じ方向に２００〜３００ｒｐｍ程度で回転駆動しながら、押さえフィルム上に被せられた土に対して、外周縁に設けた切り込み１１ａにより食い込みが良くなり、左右の押さえフィルム上の土を同時に反転させて除去する。また、ディスク刃１１により押さえフィルム上に被せられた土と共に押さえフィルムの基部を切断する場合には、切り込み１１ａにより切断性が良好となる。そして、切断したフィルムを、その上に被せられた土と共に反転させて地上部に露出させ、切断したフィルム及びマルチフィルムを容易に除去することができる。なお、ディスク刃１１は、移動方向に対して２０〜３５°程度の偏向角度で偏向されている。
【００１５】
次に、上記のように構成された本発明のマルチフィルム処理装置の動作について説明する。
図３及び図４に示すように、多数の支柱１７上にマルチフィルム１８を張設して構成されたトンネルマルチからマルチフィルム１８を除去するときには、作業部５（ディスク刃１１及びガイド輪１４）を装着した歩行型トラクタ１を、その走行車輪３がトンネルマルチ間に形成された排水溝２０を跨いで走行するように導入する。図３の実施例では、操縦ハンドル４を１８０度反転させ、操縦者Ａは機体の前部で後退しながら歩行型トラクタ１を操縦するようにしているが、操縦ハンドル４を正常な位置にし、操縦者Ａが機体の後部で前進しながら歩行型トラクタ１を操縦するようにしてもよいことは勿論である。
【００１６】
そして、ディスク刃１１を回転駆動させながら歩行型トラクタ１を前進させると、左右のディスク刃１１，１１は、両側のトンネルマルチの下端部から外側に張り出している押さえフィルム１９上に被せられている土２１を、たとえ固い状態であっも切り込み１１ａが食い込んでスリップを少なくして土２１を２１ａと２１ｂに切断し、土２１ａと共に押さえフィルム１９を反転させ、押さえフィルム１９を除去する。また、ディスク刃１１が押さえフィルム１９の基部を切断する場合にも、切り込み１１ａによりフィルムの切断性が良好となり、切断した押さえフィルム１９を、その上に被せられた土２１ａと共に反転させて地上部に露出させる。
【００１７】
左右のディスク刃１１，１１により土２１が切断された、また切断された押さえフィルム１９及び土２１ａは、排水溝２０内に反転される。そして、切断された押さえフィルム１９及びトンネルマルチのビニールフィルム１８を切断された土２１ｂと共に容易に取り除くことができる。両ガイド輪１４は、操作ハンドル１６ａにより上下調節されて、両ディスク刃１１，１１の作用深さ、即ち押さえフィルム１９の切断深さを任意に選択することができ、ディスク刃１１，１１による押さえフィルム１９の切断作業が安定して行われると共に、歩行型トラクタ１を安定して走行させることができる。
【００１８】
トンネルマルチの間隔に広・狭の差があるときは、その間隔に応じて、ディスク刃１１及びガイド輪１４の左右張り出し長さを調節することにより、左右の押さえフィルム１９に被せられた土を適切な位置で切断し、また、押さえフィルム１９の基部を適切な位置で切断して土２１ａと共に反転して露出させることができる。
【００１９】
【発明の効果】
以上説明したように本発明のマルチフィルム処理装置によれば、請求弧１，２の構成により、以下の作用効果を奏することができる。
▲１▼．作業部に、トンネルマルチフィルムを除去する際に該トンネルマルチフィルムの下端部から外側に張り出して土が被せられている押さえフィルムを、基端部から切断すると共に、切断されたフィルムを、その上に被せられた土と共に反転させる外周縁に複数の切り込みを有するディスク刃からなるフィルム切断・反転刃を左右方向への張り出し長さを調節可能に設け、このフィルム切断・反転刃の移動方向直後に、フィルム切断・反転刃の作動と機体の走行を安定させるためのガイド輪を上下調節可能に設けたので、フィルム切断・反転刃の駆動回転により、押さえ用の土及び押さえフィルムの基端部が、ディスク刃の切り込みにより食い込みをよく切断され、また、ガイド輪により設定された所定深さに切断され、これと同時に切断されたフィルムを、その上に被せられた土と共に反転して地上部に切断フィルムを露出させ、簡単に回収することができる。また、トンネルマルチフィルムは、押さえフィルムの基端部が切断されているので、容易に除去することができる。さらに、ガイド輪により、フィルム切断・反転刃による安定したフィルムの切断・反転作業、及び機体の安定した走行を行うことができる。
【００２０】
▲２▼．フィルム切断・反転刃及びガイド輪を、作業部の片側あるいは両側に装着したので、圃場状況、マルチトンネル設置状況に応じて、フィルム切断・反転刃を作業部の片側に装着したり、両側に装着たりする選択使用が可能となり、作業性及び作業能率を向上させることができる。また、ガイド輪は、フィルム切断・反転刃のフィルム切断・反転作業、及び機体の走行を安定させることができる。
【図面の簡単な説明】
【図１】本発明によるマルチフィルム処理装置の後方からの斜視図である。
【図２】同要部の後方からの部分斜視図である。
【図３】本発明のマルチフィルム処理装置による作業状態の斜視図である。
【図４】本発明のディスク刃による作業状況の説明図である。
【符号の説明】
１　　歩行型トラクタ
２　　エンジン
３　　走行車輪
４　　操縦ハンドル
５　　作業部
６　　車輪伝動ケース
７　　作業部伝動ケース
８　　作業部支持フレーム
９　　ディスク刃支持アーム
１０　ディスク刃支持板
１１　ディスク刃　１１ａ　切り込み
１２　ユニバーサルジョイント
１３　伸縮移動軸
１４　ガイド輪（または尾ソリ）
１５　ガイド輪支持ロッド
１６　上下調節支持機構　　１６ａ　操作はドル　　１６ｂ　固定レバー
１７　トンネルマルチの支柱
１８　マルチフィルム
１９　押さえフィルム
２０　排水溝
２１　押さえの土
【図１】
2004113010.tif 000003
【図２】
2004113010.tif 000004
【図３】
2004113010.tif 000005
【図４】
2004113010.tif 000006